(57)【要約】      （修正有）【課題】コードの摩耗を低減し、コードの寿命を大幅に改善したコードリールを提供する。【解決手段】本発明に係るコードリールは、カード状物を保持するホルダーを身体あるいは衣服に支持するコードリールであって、本体ケース１と、当該本体ケースに回転可能に設けられたボビン８と、当該ボビンに巻かれたコード３と、当該コードを取り出すために上記本体ケースに設けられたコード取出し穴２と、上記コードを引き出した際に、当該リールを巻き取る方向に上記ボビンを回転する方向に付勢する付勢手段９とを有し、上記コード取出し穴は、上記ボビンの回転軸７、および上記コード取出し穴近傍における上記ボビンの回転接線方向のいずれにも略垂直な方向に向かって開口し、上記コード取出し穴近傍の上記コードを引き出す際に当接する部位に、当該コード取出し穴の開口方向から引き出すコード側に傾斜したコードガイド１０を有することを特徴とする。【選択図】図３
2020019651.tif 000002
【特許請求の範囲】
【請求項１】
カード状物を保持するホルダーを身体あるいは衣服に支持するコードリールであって、
本体ケースと、
当該本体ケースに回転可能に設けられたボビンと、
当該ボビンに巻かれたコードと、
当該コードを取り出すために上記本体ケースに設けられたコード取出し穴と、
上記コードを引き出した際に、当該コードを巻き取る方向に上記ボビンを回転する方向に付勢する付勢手段と、
を有し、
上記コード取出し穴は、上記ボビンの回転軸、および上記コード取出し穴近傍における上記ボビンの回転接線方向のいずれにも略垂直な方向に向かって開口し、
上記コード取出し穴近傍の上記コードを引き出す際に当接する部位に、当該コード取出し穴の開口方向から引き出すコード３側に傾斜したコードガイドを有する
ことを特徴とするコードリール。
【請求項２】
カード状物を保持するホルダーを身体あるいは衣服に支持するコードリールであって、
本体ケースと、
当該本体ケースに回転可能に設けられたボビンと、
当該ボビンに巻かれたコードと、
当該コードを取り出すために上記本体ケースに設けられたコード取出し穴と、
上記コードを引き出した際に、当該コードを巻き取る方向に上記ボビンを回転する方向に付勢する付勢手段と、
を有し、
上記コード取出し穴は、上記ボビンの回転軸、および上記コード取出し穴近傍における上記ボビンの回転接線方向のいずれにも略垂直な方向に向かって開口し、
上記コード取出し穴近傍の上記コードを引き出す際に当接する部位に、当該コード取出し穴から上記本体ケース内部に向かって、上記コード取出し穴の開口方向より引き出すコード３側に向かって湾曲したしたコードガイドを有する
ことを特徴とするコードリール。
【請求項３】
上記コードガイドは、金属またはセラミクスからなる
ことを特徴とする請求項１または２に記載のコードリール。
【請求項４】
上記コードガイドは、上記コードが内部を通過する管体である
ことを特徴とする請求項３に記載のコードリール。
【請求項５】
上記コードガイドは、回転プーリーである
ことを特徴とする請求項３に記載のコードリール。
【発明の詳細な説明】
【技術分野】
【０００１】
本発明は、ＩＣカードや名札といったカード状物を保持するホルダー、あるいは鍵を身体あるいは衣服に支持するコードリールに関するものである。
【背景技術】
【０００２】
例えば、オフィスにおいては、名札を兼ねたＩＣカードで扉を解錠するシステムが広く用いられている。あるいは、鉄道等の改札でも、交通系のＩＣカードが用いられている。このようなＩＣカードのホルダーには、首から掛けたり、胸ポケットにフックで留めたりするタイプのホルダーがある。
【０００３】
そして、ホルダーからＩＣカードを取り出す必要が無いように、コードリールが設けられ、コードリールからコードが伸びることで、ＩＣカードを読み取り装置にタッチさせることができるカードホルダーが普及している（例えば、特許文献１）。
鍵を支持するキーホルダーについても同様の物がある。
【先行技術文献】
【特許文献】
【０００４】
【特許文献１】特開２０１８−６６８８２
【発明の概要】
【発明が解決しようとする課題】
【０００５】
特許文献１に開示されているようなカードホルダーにおいては、内部にボビン（リール巻き）が設けられ、このボビンに巻かれたコードが、コードリールに設けられたコード取出し穴から外部に出ている。すなわち、ボビンの回転接線方向と垂直に近い角度で、コードがコード取出し穴から引き出される。
【０００６】
したがって、コードを引き出す際には、コードとコード取出し穴とは、非常に狭いポイントで接触する。そのため、コードにもコード取出し穴にも、ポイントで大きな摩擦力が生じるため、摩耗が生じやすい。実際には、コード取出し穴には金属等の管体（ハトメ）が設けられ、コード取出し穴の摩耗はほとんど生じない。一方、コードの引き出しが繰り返されることで、コードは徐々に摩耗し、最終的には切断に至る。
以上のように、コードリールの寿命は、コードの摩耗が支配的な要因である。
【０００７】
実は、このようなコードの摩耗が問題となるのは、カードホルダーに使用されるコードリール特有の課題である。他の目的で使用されるコードリールにおいては、コードの摩耗は大きな問題にはならない。例えば、掃除機の電源コードのリールの場合、ボビンの回転接線方向に平行にコード取出し穴が開口している。したがって、電源コードを引き出す際に、電源コードは真っすぐに引き出され、コード取出し穴と強く摩擦が生じることは無い。
【０００８】
他方、カードホルダーに使用されるコードリールにおいては、上述したように、ボビンの回転接線方向と垂直に近い角度で、コードがコード取出し穴から引き出される。これは、コードを引き出す際に、使用者が違和感を感じないようにするためである。すなわち、身体や衣服にカードホルダーを支持した状態で、ホルダー部を持ってＩＣカードを読み取り装置にタッチさせる。この際には、コードが伸びることで、身体や衣服への支持部からホルダー部が略直線的に伸びていく。この時に、コードリールの中心がこの直線上から外れていると、使用者はアンバランス、非対称といった違和感を感じる。したがって、カードホルダーに使用されるコードリールにおいては、ボビンの回転接線方向と垂直に近い角度で、コードがコード取出し穴から引き出される。
【０００９】
コードの摩耗を低減するために、コードを耐摩耗性が高い材質で構成することも一案であるが、材料コストが増大するというコスト上の問題が生じる。
また、コードを太くすることも考えられるが、コードを収納するための体積が増加し、コードリールが大型化し、且つ重くなるという問題が生じる。コードリールは常に身に着けるものであるため、小型で軽量なものが望まれる。さらに、コードの剛性が大きくなることで、コードを巻き取るゼンマイ等の付勢手段も強力なものが必要となり、コストが増大する。
あるいは、ボビンの回転軸をコードリールの筐体の中心より、どちらかに寄せることで、コードをボビンの回転接線方向により近い角度で取り出すこともできるが、やはり、コードリールが大型化するという問題が生じる。
【００１０】
コードが切れてＩＣカードを紛失することは、セキュリティ、個人情報等の観点から、大きな問題を引き起こすことも稀ではない。したがって、カードホルダー用のコードリールは、耐久性に優れていることが最重要な要件のひとつである。しかしながら、コードの摩耗を抑制し、耐久性を向上させる試みは、ほとんどなされていないのが現状である。
【００１１】
鍵を保持するためのキーホルダーについても同様である。
【００１２】
本発明は、上記の問題点を考慮し、材料コストの増大が無く、また、コードリールが大型化したり重くなったりすることもなく、コードの摩耗の問題を抑制できる、耐久性に優れたカードホルダーやキーホルダーに適したコードリールを提供するものである。
【課題を解決するための手段】
【００１３】
本発明に係るコードリールは、
カード状物を保持するホルダーを身体あるいは衣服に支持するコードリールであって、
本体ケースと、
当該本体ケースに回転可能に設けられたボビンと、
当該ボビンに巻かれたコードと、
当該コードを取り出すために上記本体ケースに設けられたコード取出し穴と、
上記コードを引き出した際に、当該コードを巻き取る方向に上記ボビンを回転する方向に付勢する付勢手段と、
を有し、
上記コード取出し穴は、上記ボビンの回転軸、および上記コード取出し穴近傍における上記ボビンの回転接線方向のいずれにも略垂直な方向に向かって開口し、
上記コード取出し穴近傍の上記コードを引き出す際に当接する部位に、当該コード取出し穴の開口方向から引き出すコード３側に傾斜したコードガイドを有する
ことを特徴とするものである。
【００１４】
本発明に係るコードリールは、
カード状物を保持するホルダー、あるいは鍵を身体あるいは衣服に支持するコードリールであって、
本体ケースと、
当該本体ケースに回転可能に設けられたボビンと、
当該ボビンに巻かれたコードと、
当該コードを取り出すために上記本体ケースに設けられたコード取出し穴と、
上記コードを引き出した際に、当該コードを巻き取る方向に上記ボビンを回転する方向に付勢する付勢手段と、
を有し、
上記コード取出し穴は、上記ボビンの回転軸、および上記コード取出し穴近傍における上記ボビンの回転接線方向のいずれにも略垂直な方向に向かって開口し、
上記コード取出し穴近傍の上記コードを引き出す際に当接する部位に、当該コード取出し穴から上記本体ケース内部に向かって、上記コード取出し穴の開口方向より引き出すコード３側に向かって湾曲したしたコードガイドを有する
ことを特徴とするものである。
【発明の効果】
【００１５】
本発明に係るコードリールは上記のように構成されているので、コードの摩耗を低減し、コードの寿命を大幅に改善できる。
【００１６】
また、コードリールの大きさや重さは従来品と変わることが無い。
製造コストもほとんど増加しない。
【００１７】
【図面の簡単な説明】
【００１８】
【図１】本発明に係るコードリールを備えたカードホルダーの正面図と側面図である。
【図２】本発明に係るコードリールの本体ケース内の斜視図であり、コードや付勢手段は取り外した状態の図である。
【図３】本発明に係るコードリールの内部の上面図である。
【図４】本発明に係るコードリールの図３における点線四角部の部分拡大図である。
【図５】参考図であり、従来のコードリールの部分拡大図である。
【図６】本発明の実施の形態２に係るコードリールの部分拡大図である。
【図７】本発明の実施の形態３に係るコードリールの部分拡大図である。
【発明を実施するための形態】
【００１９】
実施の形態１．
以下に、本発明に係るコードリールの構成、使用方法および長所等について、図面を用いて説明する。なお、以下の実施の形態は、本発明の最適な一例であって、特に本発明をこの一例に限定するものではない。
【００２０】
図１はコードリールを備えたカードホルダーの正面図と側面図であり、左図が正面図、右図が側面図である。コードリールの本体ケース１のコード取出し穴２からコード３を引き出すことができる。コード３は手を離すと、本体ケース１内に設けられた付勢手段によって自動的に本体ケース１内に巻き戻される。コード３の先端には連結具４やホルダー取付部５が設けられ、ＩＣカードや名札等のカード状物を入れるホルダーを保持することができる。
カード状物を入れるホルダーの代わりに、鍵を取り付ければキーホルダーとしても使用できる。
【００２１】
身体等支持具６ａ、６ｂは、コードリールを身体や衣服、あるいはリュック等のかばん類に取り付けるためのものである。身体等支持具６ａに紐を通すことによって、首から吊り下げることができる。あるいは、フックである身体等支持具６ｂにより、胸ポケットやズボンのベルト等に引っかけて使用することもできる。
【００２２】
＜コードリールの構成＞
次に、コードリールの構成について、図２と図３を用いて説明する。図２は、コードリールの本体ケース１内の斜視図であり、コード３や付勢手段９は取り外した状態の図である。図３は、コードリールの内部の上面図である。また、図４は、図３における点線四角部の部分拡大図である。
【００２３】
図２に示すように、本体ケース１の略中心には固定軸である回転軸７が立設している。回転軸７の中央には、付勢手段固定部７ａが設けられている。本体ケース１の直径は、例えば３ｃｍ程度である。
ボビン８は、この回転軸７を回転軸として回転できる。
【００２４】
図３に示すように、ボビン８の内側には付勢手段９が設けられている。ここでは、付勢手段は例えばゼンマイである。ゼンマイの一端は付勢手段固定部７ａに、他端はボビン８のに設けられた付勢手段固定部８ａに固定されている。
【００２５】
ボビン８の外側にはコード３が巻かれている。コード３は例えばナイロンである。切れにくい材質であることが望ましい。コード３の長さは、例えば７０ｃｍ程度である。コード３の一端はボビン８に固定され、他端はコード取出し穴２より外部に出ている。この他端を引っ張ることでボビン８が回転し、ボビン８の回転に伴って付勢手段９であるゼンマイが伸びる。この伸びたゼンマイが元に戻ろうとする復元力（弾性力）により、コード３は巻き戻される。
【００２６】
コード取出し穴２は、ボビン８の回転軸７、およびコード取出し穴２近傍における上記ボビン８の回転接線方向のいずれにも略垂直な方向に向かって開口している。すなわち、ボビン８のひとつの略直径方向に開口している。そして、コード取出し穴２近傍のコード３を引き出す際に当接する部位に、コード取出し穴２の開口方向から引き出すコード３側に傾斜したコードガイド１０を有している。
【００２７】
コードガイド１０は、例えば金属やセラミックの管体である。部品コスト面からは金属の管体が望ましい。コードガイド１０を管体とすることで、コード３を引き出す際に強く当接する部位（図３において、コード取出し穴２の左側）だけではなく、コード取出し穴２の右側にもコード３が当たることを防止し、コード取出し穴２の内壁全体が摩耗することを防止できる。
コード取出し穴２は、本体ケースと一体に樹脂の成型により形成されるため、摩耗しやすい。そのため、金属等の管体を用いて、摩耗を防止することが必要である。
【００２８】
＜検証実験＞
次に、この構成のコードリールの耐久性を調べる実験を行った。
コードはナイロン製であり、直径が０．５ｍｍ、長さが７０ｃｍである。コードを２０ｃｍ引っぱりだし、付勢手段によって戻す動作を１往復とし、コードが切れるまで往復動作を繰り返した。サンプル数は３である。
【００２９】
１つのサンプルは、コードは切れなかったが、１１６．８万往復で付勢手段に不具合が生じた。他の二つのサンプルは、それぞれ２３７万往復、２８２万往復でコードが切断した。
平均の耐久往復回数は、コードは切断しなかったが付勢手段に不具合が生じたサンプルも含めると、約２１１．９万往復であった。付勢手段に不具合が生じたサンプルを含めない場合は、２５９．５万往復であった。
【００３０】
上記の結果と比較するために、従来品についても同様の実験を行った。従来品は図５に示すように、傾けた管体のコードガイド１０の代わりに、コード取出し穴２に平行に管体１００を設けたものである。使用したコードや実験方法は、上記と同様である。
なお、図５において、図４と同じ部位に関しては同じ符号を付している。
【００３１】
４個のサンプルについて実験を行った。それぞれ、７．５万往復、２２万往復、５０．１万往復、７０万往復でコードが切断した。平均の耐久往復回数は、３７．４万往復であった。
【００３２】
以上のように、本実施の形態のコードリールは、従来品に比べて６倍から７倍と、大幅に耐久性が向上していることを確認できた。
図５に示す従来品は、白抜き矢印で示す箇所で強い摩耗が生じていたために、耐久性が小さかったと考えられる。
【００３３】
実施の形態２．
実施の形態１においては、図４に示すように、コード取出し穴２近傍のコード３を引き出す際に当接する部位に、コード取出し穴２の開口方向より引き出すコード３側に向かって傾斜したコードガイド１０を設けた。本実施の形態２においては、図６に示すように、コードガイド１０の代わりに、コードガイド２０を設けた。すなわち、コード取出し穴近傍２のコード３を引き出す際に当接する部位に、コード取出し穴２から本体ケース１内部に向かって、コード取出し穴２の開口方向より引き出すコード３側に向かって湾曲したしたコードガイド３０を有している。
なお、図６において、図４と同じ部位に関しては同じ符号を付している。
【００３４】
コードガイド３０として、金属やセラミック製の湾曲した管体を用いることで、コード取出し穴２の内壁全体が摩耗することを防止できる。
また、実施の形態１と同様の耐久性に関する検証実験を行ったところ、図４に示す構成と同等以上の耐久性が得られることを確認した。
【００３５】
実施の形態３．
実施の形態１においては、図４に示すように、コード取出し穴２近傍のコード３を引き出す際に当接する部位に、コード取出し穴２の開口方向から引き出すコード３側に傾斜したコードガイド１０を設けた。本実施の形態３においては、図７に示すように、コードガイド１０の代わりに、金属やセラミック製の回転プーリー３０を設けた。
なお、図７において、図４と同じ部位に関しては同じ符号を付している。
【００３６】
実施の形態１や実施の形態２と同様の耐久性に関する検証実験を行ったところ、図４に示す構成と同等以上の耐久性が得られることを確認した。
【００３７】
＜本発明のまとめ＞
以上、実施の形態１から３に示したように、コード取出し穴の近傍において、コードを適切にガイドすることにより、コードの摩耗を低減し、耐久性を飛躍的に向上できることが確認できた。
このように、わずかな設計変更を行うだけで良いため、コードリールの大きさや重さは従来品と変わることが無く、また、製造コストもほとんど増加しない。
【００３８】
前述したように、コードの摩耗が問題となるのは、カードホルダー（あるいは、キーホルダー）に使用されるコードリール特有の課題である。その他の用途のコードリールにおいては、ボビンの回転接線方向において、コードを取出しできるため、コードの摩耗は大きな問題とはならないためである。
【００３９】
したがって、本発明におけるコードリールは、カードホルダーあるいは、キーホルダーに使用されるコードリールとして、非常に適したものであり、コードが切れてＩＣカード等の紛失を防止することができるという、セキュリティ、個人情報等の観点から要求されるカードホルダー用のコードリールに対する最重要な要件を満足するものである。
【符号の説明】
【００４０】
１  本体ケース
２  コード取出し穴
３  コード
４  連結具
５  ホルダー取付部
６ａ、６ｂ  身体等支持具
７  回転軸
７ａ  付勢手段固定部
８  ボビン
８ａ  付勢手段固定部
９  付勢手段
１０  コードガイド
２０  コードガイド
３０  プーリー
１００  管体
【図１】
2020019651.tif 000003
【図２】
2020019651.tif 000004
【図３】
2020019651.tif 000005
【図４】
2020019651.tif 000006
【図５】
2020019651.tif 000007
【図６】
2020019651.tif 000008
【図７】
2020019651.tif 000009